(57)【要約】【課題】  ユーザが貨幣を投入しコピー条件を設定した後、直ちにコピー開始せず、コピーすべき原稿を読取り画像メモリに蓄積した段階で総料金の計算を行い、料金が不足する場合にはユーザにコピー条件を変更するなどの選択が可能になるようにしたコインベンダコピー装置を提供する。【解決手段】  コインベンダコピー装置１０は、コピー条件設定手段２０ａ、原稿読取手段２０ｂ、料金計算手段２０ｃ、コピー開始可否判定手段２０ｄ、警告表示手段２０ｅ、コピー条件変更手段２０ｆ、コピー開始手段２０ｇを備えている。原稿読取手段２０ｂにおいて原稿読取り後、料金計算手段２０ｆが原稿の量とコピー条件から総料金を算出し、コピー開始可否判定手段２０ｄが投入金額と総料金を比較してコピー開始不可と判定した場合、コピー開始信号は無効とされ、前記警告表示手段２０ｅによりユーザに警告表示を行い、コピー条件の設定変更を促すことができるようにした。【選択図】      図２
2005242097.tif 000002
【特許請求の範囲】
【請求項１】
コピー装置と貨幣収受装置とから構成され、ユーザが指定したコピー条件のもと、貨幣収受装置に投入された金額の範囲内でコピーを行うコインベンダコピー装置において、
前記コピー装置は、コピー条件を設定するための操作入力部と、
原稿を読取る原稿読取部と、
原稿読取部により原稿から読取った画像データを記憶する画像メモリと、
コピー開始手段からのコピー開始信号に基づいて、前記画像メモリに記憶された画像データを印刷する印刷手段と、
前記原稿読取部によって読取った原稿の量と前記コピー条件に基づいて総コピー料金を算出する料金計算手段と、
料金算出手段で算出した総コピー料金と、前記貨幣収受装置に投入された投入金額とを比較し、前記コピー開始手段からのコピー開始信号を有効または無効とするコピー開始可否判定手段と、を備えていることを特徴とするコインベンダコピー装置。
【請求項２】
前記コピー開始可否判定手段は、総コピー料金に対して前記投入金額が不足する場合にコピー開始信号を無効とし、総コピー料金に対して前記投入金額が足りる場合にコピー開始信号を有効とすることを特徴とする請求項１に記載のコインベンダコピー装置。
【請求項３】
前記コピー装置は、コピー開始可否判定手段がコピー開始信号を有効とした場合、前記操作入力部にコピー条件の変更有無を確認する画面を表示し、コピー条件の変更なしの入力があった後、前記印刷手段によるコピーを開始するようにしたことを特徴とする請求項２に記載のコインベンダコピー装置。
【請求項４】
前記コピー装置は、コピー開始可否判定手段がコピー開始信号を無効とした場合、前記操作入力部にユーザに対する警告表示を行うことを特徴とする請求項２に記載のコインベンダコピー装置。
【請求項５】
前記コピー装置は、コピー開始可否判定手段がコピー開始信号を無効とした場合、前記操作入力部にコピー条件を変更する画面を表示し、コピー条件の変更を行えるようにしたことを特徴とする請求項２に記載のコインベンダコピー装置。
【発明の詳細な説明】
【技術分野】
【０００１】
本発明は、顧客がコピー条件を設定して貨幣収受装置に貨幣を投入し、投入した貨幣の金額の範囲内で所望の原稿をコピーすることができるコインベンダコピー装置に関するものであり、特に、コピー開始を許可する前にコピーすべき原稿を読み取って画像メモリに保存し、ユーザが設定したコピー条件と原稿の枚数に基づいて総料金を算出し、貨幣収受装置に投入された貨幣の金額内でコピーが可能か否かを判断した後にコピー開始を許可するようにしたコインベンダコピー装置に関するものである。
【背景技術】
【０００２】
従来、コンビニエンスストア等に設置された有料のコピー装置においては、セルフサービスによるコピーが行えるよう貨幣収受装置が備えられており、幅広く利用されている。
【０００３】
従来、コンビニエンスストア等に設置されているコインベンダコピー装置は、ユーザがコピー装置本体の操作部を操作してコピーを出力する用紙のサイズやカラーコピー、モノクロコピー、縮小、拡大率等のコピー条件を設定し、原稿読取部にすべき原稿をセットし、貨幣収受装置に貨幣を投入してコピーボタンを操作すると、コピーを開始する。そしてコピーを出力する毎にコピー条件から算出した総料金を投入された金額から減算し、投入された金額が次の総コピー料金に満たなくなると、終了表示を行い、コピー条件等の設定値等をリセットする構成をとるものが一般的であった。
【０００４】
従って、ユーザは、コピー途中で貨幣収受装置に投入した金額が不足した場合、残りのコピーを継続するために再度前述の操作を行う必要があった。また、手持ちの貨幣が十分でない場合は、カラーコピーからモノクロコピーに条件を変更してコピーを継続するなどの対応が必要となる。この結果、ユーザは結果的に希望するコピー物を入手できないことになる場合もあり、ユーザにとって使い勝手が悪いという問題があった。
【０００５】
このような不便さを解消するためにコインベンダコピー装置の改良も種々検討されており、例えば、下記の特許文献１（特開昭６０−１４２３５６号公報）に開示されたコピー装置がある。すなわち、特許文献１に開示されたコインベンダコピー装置は、貨幣収受装置に投入した金額が当初設定したコピー条件でコピーを継続するには不足した状態になった時に、コピー条件等の設定値をリセットする処理を禁止し、そのままの状態を保持してユーザが貨幣収受装置に貨幣を追加投入してコピーを継続する場合に再度コピー条件の設定操作を必要としないように構成したものである。
【０００６】
しかしながら、特許文献１のコピー装置では、料金不足になってからコピーを継続する場合にコピー条件は当初の条件のままであるため、手持ちの貨幣が十分でない場合は、最後までコピーできないことになる。このような不便さを更に改良したコピー装置が下記の特許文献２（特開２０００−２９８４１８号公報）に開示されている。すなわち、特許文献２に開示されたコピー装置は、コピーの途中で、残金が所定金額より少なくなると、コピー条件を変更して残金でより多くのコピーを継続できるように、コピー条件の変更を促すメッセージ等を含む倹約コピー導入画面を操作パネルに表示し、ユーザに残金でより多くのコピーを継続できるコピー条件への変更を促すように構成を示したものである。
【０００７】
【特許文献１】特開昭６０−１４２３５６号公報
【特許文献２】特開２０００−２９８４１８号公報
【発明の開示】
【発明が解決しようとする課題】
【０００８】
しかしながら、上記特許文献１あるいは特許文献２に開示されたコインベンダコピー装置は、何れも、ユーザがコピー条件を設定し、貨幣収受装置に貨幣を投入すると、投入された金額でコピーが最後まで継続できるか否かに係わらずコピー開始操作が可能になり、コピー動作を開始してしまう構成である。したがって、ユーザに十分な貨幣の手持ちがなければ、途中で設定を変更できたとしても、貨幣を追加投入した後にコピーした部分の仕上がり形態は、既にコピーされたものの仕上がり形態とは異なる形態となるため、統一的なコピー物としての完成ができず、結果としてすべてのコピーをやり直すことにもなりかねず、コピー物が無駄となり、また利用料金も無駄に支払ってしまうという問題点があった。すなわち、上記特許文献１あるいは２に開示されたのコインベンダコピー装置は、いわば緊急避難的にコピーを継続しうるのみであるため、ユーザの利便性を十分に配慮したコピー装置とは言い難かった。
【０００９】
本願の発明者は上記の問題点を解消すべく種々検討を重ねた結果、コピー条件の設定と貨幣の投入により直ちにコピー開始操作を可能にすることなく、コピーすべき原稿全てを読取り、画像メモリに蓄積した上で、原稿の量とコピー条件に従って総料金を算出し、貨幣収受装置に投入された金額でコピー可能な場合にコピー開始を可能にするように構成することによって前記の問題点を解消し得ることに着目して本発明を完成するに至ったものである。
【００１０】
すなわち、本発明は、上記の問題点を解消することを課題とし、コピー物の完成というユーザの希望に応えるべく、コピー条件の設定および貨幣投入により、コピー開始を可能とすることなく、あらかじめ原稿をすべて読み込み、原稿の量とコピー条件により総コピー料金を算出し、投入金額が利用料金に対して不足する場合は、ユーザに警告表示を行い、コピー動作を開始させないようにできるコインベンダコピー装置を提供することを目的とするものである。
【課題を解決するための手段】
【００１１】
前記課題を解決するために、本願の請求項１に係る発明は、コピー装置と貨幣収受装置とから構成され、ユーザが指定したコピー条件のもと、貨幣収受装置に投入された金額の範囲内でコピーを行うコインベンダコピー装置において、
前記コピー装置は、コピー条件を設定するための操作入力部と、
原稿を読取る原稿読取部と、
原稿読取部により原稿から読取った画像データを記憶する画像メモリと、
コピー開始手段からのコピー開始信号に基づいて、前記画像メモリに記憶された画像データを印刷する印刷手段と、
前記原稿読取部によって読取った原稿の量と前記コピー条件に基づいて総コピー料金を算出する料金計算手段と、
料金算出手段で算出した総コピー料金と、前記貨幣収受装置に投入された投入金額とを比較し、前記コピー開始手段からのコピー開始信号を有効または無効とするコピー開始可否判定手段と、を備えていることを特徴とする。
【００１２】
また、本願の請求項２に係る発明は、前記請求項１に記載のコインベンダコピー装置において、前記コピー開始可否判定手段は、総コピー料金に対して前記投入金額が不足する場合にコピー開始信号を無効とし、総コピー料金に対して前記投入金額が足りる場合にコピー開始信号を有効とすることを特徴とする。
【００１３】
また、本願の請求項３に係る発明は、前記請求項２に記載のコインベンダコピー装置において、前記コピー装置は、コピー開始可否判定手段がコピー開始信号を有効とした場合、前記操作入力部にコピー条件の変更有無を確認する画面を表示し、コピー条件の変更なしの入力があった後、前記印刷手段によるコピーを開始するようにしたことを特徴とする。
【００１４】
また、本願の請求項４に係る発明は、前記請求項２に記載のコインベンダコピー装置において、前記コピー装置は、コピー開始可否判定手段がコピー開始信号を無効とした場合、前記操作入力部にユーザに対する警告表示を行うことを特徴とする。
【００１５】
また、本願の請求項５に係る発明は、前記請求項２に記載のコインベンダコピー装置において、前記コピー装置は、コピー開始可否判定手段がコピー開始信号を無効とした場合、前記操作入力部にコピー条件を変更する画面を表示し、コピー条件の変更を行えるようにしたことを特徴とする。
【発明の効果】
【００１６】
本願の請求項１に係る発明においては、原稿読取部においてあらかじめ読取った原稿の画像データをメモリに記憶し、原稿量とユーザの設定した条件から必要な総コピー料金を算出して投入金額の範囲内におけるコピー開始の可否を判定する。これにより、ユーザは、コピー開始前にコピー開始の可否を知ることができる。
【００１７】
また、本願の請求項２に係る発明においては、前記コピー開始可否判定手段により料金が不足すると判定された場合には、コピー不可としてコピー開始信号を無効にすることができる。これにより、ユーザは、料金が不足するにもかかわらずコピーを開始してしまい結果的にコピーをやり直すことによるコピー物及び利用料金の無駄を避けることができるようになる。一方、料金が足りると判定された場合には、コピー可能としてコピー開始信号を有効にすることができる。これにより、ユーザは、設定条件下で通常のコピー動作を開始することができる。
【００１８】
また、本願の請求項３に係る発明においては、前記コピー開始可否判定手段によりコピー開始信号が有効とされた場合であっても、コピー条件の変更の有無を確認できる。これにより、ユーザは、料金が足りていても、条件設定を誤った場合や設定変更を希望する場合に対応することができる。
【００１９】
また、本願の請求項４に係る発明においては、料金が不足してコピー開始信号が無効にされた場合に、ユーザに所定の警告を表示してこれを知らせることができる。これにより、ユーザは、コピー開始ができない旨を知らせ、コピーを取りやめるか、設定の変更をするか、不足料金の追加をするか等の判断をすることができる。
【００２０】
また、本願の請求項５に係る発明においては、コピー条件や枚数の設定を変更することができる。これにより、ユーザは、投入金額の範囲内でコピー物を完成させることができるようになる。なお、設定変更だけでなく、強制的にコピーを開始することもできるし、不足料金を追加することもコピーを断念することもできる。
【発明を実施するための最良の形態】
【００２１】
以下、本発明の具体例を実施例及び図面を用いて詳細に説明する。図１は、本発明に係るコインベンダコピー装置およびそのネットワーク接続構成を示すシステム構成図、図２は、本発明に係るコインベンダコピー装置における主制御部の機能を示す機能ブロック図、図３は、本発明に係るコインベンダコピー装置のコピー動作の手順を示すフローチャート図である。
【実施例】
【００２２】
本発明の実施例にかかるコインベンダコピー装置１０は、図1に示すように、コピー装置本体１１と貨幣収受ユニット１２とから構成され、ネットワーク通信部１３を通してインターネット１４に接続されている。このコインベンダコピー装置１０は、コピー装置本体１１に付設された貨幣収受ユニット１２に貨幣を投入することで所望の原稿をコピーすることができる料金投入方式のコピー装置である。
【００２３】
コピー装置本体１１は、主制御部２０、原稿読取部２１、画像メモリ２２、インターフェース（Ｉ／Ｆ）２３、ネットワーク・インターフェース（Ｉ／Ｆ）２４、ハードディスク（ＨＤＤ）２５、操作入力部２６、転写部２７、給紙部２８、搬送部２９、等から構成されている。主制御部２０は、マイクロプロセッサ等のＣＰＵ２０１と制御プログラムを格納したＲＯＭ２０２と、メインメモリであるＲＡＭ２０３とから構成されている。この主制御部２０は各部の制御、コピー装置全体の動作制御を司るものである。操作入力部２６は、表示部２６１と各種キー２６２とから構成されている。各種キー２６２でコピー条件の設定を行い、表示部２６１は設定したコピー条件を表示するものである。なお、各種キー２６２はタッチパネル式でもボタン式でもよい。
【００２４】
貨幣収受ユニット１２は、主制御部１２１、ユーザが投入した金額を読取る投入金額読取部１２２、ユーザが投入した金額を表示する表示部１２３、課金用テーブルメモリ１２４、コピー枚数やユーザに対する課金金額を累積して記憶する課金用メモリ１２５とから構成される。投入金額読取部１２２で読取った金額は、課金用メモリ１２５に蓄積される。課金用テーブルメモリ１２４には、カラーモードによるコピーや出力用紙サイズ等のコピー条件に応じた課金金額のテーブルが記憶されている。主制御部１２１は、設定されたコピー条件に従って実行されるコピー動作に応じて課金用テーブルメモリ１２４に蓄積されたテーブルを参照しつつ、課金用メモリ１２５に蓄積された投入貨幣の金額データからユーザに対する課金を行う。なお、図示はしないが、貨幣収受ユニット１２には、料金投入口、動作表示灯、残金返却用の押しボタン、残金返却口がそれぞれ設けられている。
【００２５】
コピー装置本体１１の主制御部２０は、図２に示すように、コピー条件設定手段２０ａ、原稿読取手段２０ｂ、料金計算手段２０ｃ、コピー開始可否判定手段２０ｄ、警告表示手段２０ｅ、コピー条件変更手段２０ｆ、コピー開始手段２０ｇを有している。
【００２６】
コピー条件設定手段２０ａは、操作入力部２６における各種キー２６２を操作することで、希望のコピー条件をユーザに選択させる機能を果たすものである。また、原稿読取手段２０ｂは、原稿読取部２１において原稿をスキャンして読取り、読取った画像データは画像メモリ２２に蓄積される。なお、画像メモリ２２に記憶するデータとしては、読取った原稿の画像データの他、原稿の量、用紙サイズ、カラーの有無、両面印刷の有無等のデータも記憶するように構成することもでき、あるいは、原稿の量、用紙サイズ、カラーの有無、両面印刷の有無などのデータを画像メモリ２２とは別の記憶手段に記憶するようにしてもよい。
【００２７】
料金計算手段２０ｃは、原稿読取部２１で読取った原稿量とユーザが設定したコピー条件とから必要な総料金を、ＣＰＵ２０１の制御下で算出する。一方、課金用メモリ１２５に蓄積された金額データがインターフェース（Ｉ／Ｆ）２３を介して主制御部２０に送られ、コピー開始可否判定手段２０ｄによりコピー開始信号の有効無効が判定される。例えば、コピー条件設定時において、Ａ４サイズのカラーコピー片面印刷３部ずつを指定し、また、カラーコピー１枚は４０円であるとする。この場合、読取られた原稿が１０枚である場合には、必要な総料金は３部×１０枚×４０円＝１２００円であるが、投入金額が１０００円であったとすると、料金は不足するから、コピー開始可否判定手段２０ｄにおいてコピー開始信号が無効とされる。
【００２８】
貨幣収受装置に投入した金額に対して料金が足り、コピー開始可否判定手段２０ｄがコピー開始信号を有効とした場合には、操作入力部２６の表示部２６１に「コピー開始可能です。コピー条件を変更しますか」といった確認画面が表示される。これにより余った投入金でさらにコピー物を増加させるか等の判断ができる。
【００２９】
例えば、前記例において、必要な総料金が１２００円であるのに対し、投入金額が１６００円であったとすると、料金は足りているから、コピー開始信号は有効とされる。そこで、ユーザはコピー条件を変更して余った４００円で、さらにもう１部コピー物を作成することもできるし、そのままの条件でコピーを開始することもできる。なお、ユーザは貨幣を追加投入してさらにコピー物を増やすこともできる。
【００３０】
他方、貨幣収受装置に投入した金額に対して料金が足りず、コピー開始信号を無効とした場合には、警告表示手段２０ｅにより、操作入力部２６の表示部２６１に「《警告》コピー条件を変更して下さい」といった警告表示がなされる。これによりユーザは貨幣を追加投入したり、コピー条件を変更してコピー部数を減らしたりするか等の判断ができる。このため、コピー条件変更手段２０ｆは、操作入力部２６の表示部２６１にコピー条件変更画面を表示し、ユーザがこの画面によりコピー条件の設定を変更した場合は、再び料金計算手段２０ｃにより必要な料金を計算したうえ、コピー開始可否判定手段２０ｄによりコピー開始信号の有効無効が判定される。
【００３１】
例えば、前記例において、必要な総料金が１２００円であるのに対し、投入金額が１０００円ならば、投入金不足によりコピー開始信号が無効とされ、警告表示がなされる。そこで、ユーザはカラーコピーの設定をモノクロコピーの設定に変更することができる。一般に、モノクロコピーはカラーコピーのコピー料金単価の４ないし５分の一である。モノクロコピーが１枚１０円とすると、３部×１０枚×１０円＝３００円であるから、ユーザは投入金額の１０００円以内でコピー可能である。また、カラーコピーを維持させたい場合は、ユーザは不足金額の２００円を追加投入してコピーすることも可能である。
【００３２】
そして、コピー開始手段２０ｇにより設定した条件下でのコピーを開始する。なお、コピー開始信号が無効と判定された場合でも、警告表示手段２０ｅにより操作入力部２６の表示部２６１に強制スタートの選択画面が表示され、ユーザがこれを選択すればコピー開始手段２０ｇによりそのままコピーを開始することもできる。
【００３３】
次に、上記のようなコインベンダコピー装置１０のコピー動作の手順について説明する。図３は、ユーザによるコインベンダコピー装置のコピー動作の手順を示すフローチャート図である。コインベンダコピー装置１０によるコピー動作を希望するユーザは、ステップＳ２０で貨幣収受ユニット１２に貨幣を投入し、ステップＳ２１でコピー装置１１の操作入力部２６における各種キー２６２を操作し、コピー条件の設定を行う。そして、ユーザは、原稿を原稿読取部２１にセットする。
【００３４】
ユーザが原稿を原稿読取部２１にセットした後、ステップＳ２２において、セットした原稿がコピー装置本体１１の原稿読取部２１で読取られる。原稿読取部２１で読取られた画像データは、ステップＳ２３で画像メモリ２２に蓄積される。ステップＳ２３で画像データの蓄積が終了していない場合は、蓄積処理を継続して画像メモリ２２に画像データを蓄積する。
【００３５】
ステップＳ２０〜ステップＳ２３においてユーザの操作により、画像データの画像メモリ２２への蓄積が終了すると、料金算出手段２０ｃは、ステップＳ２４において原稿読取部２１で読取った原稿量とユーザが各種キー２６２で設定したコピー条件からコピーに必要な総料金を計算する。次いで、コピー開始可否判定手段２０ｄは、ステップＳ２５において、ステップＳ２４で算出した必要な総料金と、ステップＳ２０で投入された貨幣の金額とから、コピー開始が可能であるかどうかを判定する。コピー開始が可能であると判定した場合は、ステップＳ２６でコピー開始可否判定手段２０ｄがコピー開始信号を有効とし、以後、コピー開始が可能となる。他方、コピー開始が可能でないと判定した場合は、ステップＳ３０でコピー開始可否判定手段２０ｄがコピー開始信号を無効とし、各種キー２６２にあるコピー開始手段２０ｇを構成するコピー開始ボタンを押してもコピーが開始されない。
【００３６】
ステップＳ２６でコピー開始信号が有効とされた場合は、ステップＳ２７で表示部２６１に設定変更表示がなされることとなる。ステップＳ２８においてユーザが設定変更を希望する場合は、設定変更画面を選択し、ステップＳ２９において各種キー２６２でコピー条件の設定を変更することができる。この場合は、ステップＳ２４においてＣＰＵ２０１により改めて変更後の条件下での総料金の計算がなされる。ステップＳ２８において設定変更を希望しない場合は、各種キー２６２にあるコピー開始ボタンを押すことでステップＳ３８によりコピーが開始される。そして、ステップＳ３９において、コピーが終了しない場合はコピーが継続され、コピーが終了した場合はコピー動作が終了する。
【００３７】
ステップＳ３０でコピー開始信号が無効とされた場合は、ステップＳ３１で表示部２６１にコピーが開始できない旨の警告表示がなされることとなる。また、警告表示と同時にコピーの強制スタート画面が表示部２６１に表示される。そしてステップＳ３２でユーザが各種キー２６２を操作してコピーの強制スタートを選択する場合は、コピー開始信号の無効が解除され、ステップＳ３８により最初の設定条件下でコピーが開始される。ステップＳ３９でコピーが終了すると、コピー動作は終了する。
【００３８】
ステップＳ３２でコピーを強制スタートさせない場合でも、ステップＳ３３で不足金を追加すればコピーを開始しうる。すなわち、ステップＳ２４に戻り料金計算手段２０ｃで総料金を計算し、ステップＳ２５においてコピー開始可否判定手段２０ｄがコピー開始可能（投入貨幣の金額が総料金に足りる）と判定した場合は、ステップＳ２６でコピー開始信号が有効とされコピー可能となる。
【００３９】
他方、不足金を追加しない場合にも、ステップＳ３４で表示部２６１に設定変更表示がされ、ステップＳ３５でユーザが各種キー２６２で設定変更を選択すればステップＳ３６でコピー条件の設定が変更される。そしてステップＳ２４で設定変更後の条件下で総料金の計算がなされることとなる。ステップＳ３５でユーザが設定変更を選択しない場合は、ステップＳ３７でコピーをキャンセルするかの選択画面が表示部２６１に表示され、キャンセルしない場合はステップＳ３１の警告表示画面に戻り、キャンセルする場合はそのままコピー動作が終了する。
【００４０】
以上説明したように、本発明によれば、コピー条件の設定と貨幣の投入により直ちにコピー開始操作を可能にすることなく、コピーすべき原稿全てを読取り、画像メモリに蓄積した上で、原稿の量とコピー条件に従って総料金を算出し、貨幣収受装置に投入された金額でコピー可能な場合にコピー開始を可能にするコインベンダコピー装置を提供することができる。
【図面の簡単な説明】
【００４１】
【図１】本発明に係るコインベンダコピー装置およびそのネットワーク接続構成を示すシステム構成図である。
【図２】本発明に係るコインベンダコピー装置における主制御部の機能を示す機能ブロック図である。
【図３】本発明に係るコインベンダコピー装置のコピー動作の手順を示すフローチャートである。
【符号の説明】
【００４２】
１０    ・・・コインベンダコピー装置
１１    ・・・コピー装置本体
１２    ・・・貨幣収受ユニット
１３    ・・・ネットワーク通信部
１４    ・・・インターネット
２０    ・・・主制御部
２１    ・・・原稿読取部
２２    ・・・画像メモリ
２３    ・・・インターフェース（Ｉ／Ｆ）
２４    ・・・ネットワークインターフェース（Ｉ／Ｆ）
２５    ・・・ハードディスク（ＨＤＤ）
２６    ・・・操作入力部
２７    ・・・転写部
２８    ・・・給紙部
２９    ・・・搬送部
１２１  ・・・主制御部
１２２  ・・・投入金額読取部
１２３  ・・・表示部
１２４  ・・・課金用テーブルメモリ
１２５  ・・・課金用メモリ
２０１  ・・・ＣＰＵ
２０２  ・・・ＲＯＭ
２０３  ・・・ＲＡＭ
２６１  ・・・表示部
２６２  ・・・各種キー
２０ａ  ・・・コピー条件設定手段
２０ｂ  ・・・原稿読取手段
２０ｃ  ・・・料金計算手段
２０ｄ  ・・・コピー開始可否判定手段
２０ｅ  ・・・警告表示手段
２０ｆ  ・・・コピー条件変更手段
２０ｇ  ・・・コピー開始手段
【図１】
2005242097.tif 000003
【図２】
2005242097.tif 000004
【図３】
2005242097.tif 000005